(57)【要約】  【課題】使用者をＩＤによって管理制限することで盗難を抑止可能な電動機械器具を提供すること。  【解決手段】電動機械器具を駆動する駆動回路16を有する駆動部14と、この駆動部14に電源を供給するための電源供給ラインとを具備してなる電動機械器具11であって、前記駆動部14の前段の電源供給ライン上に、外部から入力される解除用ＩＤ情報と内部に記憶されたＩＤ情報とが一致するか否かによって、前記駆動部14に対する電源供給のオンオフを制御するオンオフ制御モジュール17を設けてなる。【選択図】図１
2015156200.tif 000002
【特許請求の範囲】
【請求項１】
電動機械器具の駆動部と、この駆動部に電源を供給するための電源供給ラインとを具備してなり、前記駆動部の前段の電源供給ライン上に、外部から入力される解除用ＩＤ情報と内部に記憶されたＩＤ情報とが一致するか否かによって、前記駆動部に対する電源供給のオンオフを制御するオンオフ制御モジュールを設けてなることを特徴とする盗難防止機能付電動機械器具。
【請求項２】
前記オンオフ制御モジュールは、ＩＤ情報その他の情報を登録させておくＩＣチップを備えたＲＦＩＤタグと、解除用のＩＤ情報を無線によって受信するための無線モジュールと、前記ＲＦＩＤタグに登録されたＩＤ情報と前記無線モジュールで受信した解除用のＩＤ情報との一致判断その他の制御を行うための制御部と、前記制御部におけるＩＤ情報の一致判断に基づいて前記駆動部に対する電源供給のオンオフを切り替える切替スイッチとを具備してなることを特徴とする請求項１に記載の盗難防止機能付電動機械器具。
【請求項３】
前記オンオフ制御モジュールは、前記ＲＦＩＤタグに最大使用時間の情報を登録可能とし、前記制御部において使用時間が最大使用時間以内か否かを判断して最大使用時間に達した場合に前記切替スイッチをオフとすることを特徴とする請求項２に記載の盗難防止機能付電動機械器具。
【請求項４】
前記電動機械器具と、前記電動機械器具に対する解除用のＩＤ情報を登録したＲＦＩＤタグとこのＲＦＩＤタグの解除用のＩＤ情報を無線によって送信する機能を有した解除用リモコンと、前記電動機械器具におけるＲＦＩＤタグおよび前記解除用リモコンにおけるＲＦＩＤタグの登録内容を読み取りおよび書き込み可能な登録用ＲＦＩＤリーダライターとからなることを特徴とする請求項２または３に記載の盗難防止機能付電動機械器具。
【請求項５】
前記電動機械器具が、電動カッター、電気ハンマー、電気ドリル、電動グラインダー、電気マルノコ、電気チェンソー、電気カンナ、電気カッター、ディスクグラインダ―、中ぐり盤、フライス盤、ボール盤、ラップ盤等の工作機械器具、および電気溶接機、ブロワ―、収じん機、ポンプ、送風機、発電機、洗浄機、掃除機、投光器である請求項１乃至請求項４のうちの１に記載の盗難防止機能電動機械器具。
【発明の詳細な説明】
【技術分野】
【０００１】
本発明は、建設作業現場、あるいは道路工事現場等で使用される電動機械器具に関するものであり、使用可能者をＩＤタグによって制限するとともに、作動時間を制限することを可能にした盗難防止機能付電動機械器具に関するものです。
【背景技術】
【０００２】
建設作業現場、道路工事現場等において用いられる電動カッター、電気ハンマー、電気ドリル、電動ハンマ、電動グラインダー、電気マルノコ、電気チェンソー、電気カンナ、電気カッター、ディスクグラインダ、中ぐり盤、フライス盤、ボール盤、ラップ盤等の電動工作機械器具、および電気溶接機、ブロア、収じん機、ポンプ、送風機、発電機、洗浄機、掃除機等の電動機械器具、および投光器等の照明器具は、異なる現場に持ち運びができるように可搬式である。
【０００３】
これらの電動工作機械器具、電動機械器具および照明器具は、それぞれの機械器具に所有社名を記載し、この場合、共同体で作業をしている現場であれば各会社ごとに持込機械器具にそれぞれ名入れをあらかじめ行っておき、終業後に所定場所へ返却し、整理整頓をすることで紛失・盗難の生じないように現場で管理している。
現場での管理方法としては、電動機械器具を作動できないように機械的にロックしていたり、保管場所に固定している。また、保管場所に防犯カメラを取り付けて監視したり、許可なく移動される場合は、ブザーが鳴るようにしたり、照明が付いて警告するようにしている。
【先行技術文献】
【特許文献】
【０００４】
【特許文献１】特開２００６-２３３８１１号公報
【発明の概要】
【発明が解決しようとする課題】
【０００５】
近年、建築現場、道路工事現場等で使用する電動機械器具は、非常に改良されて、高価なものとなっている、一方、電動機械器具は、異なる現場に容易に持ち運べるように可搬式の形態となっているため、盗難にあう可能性が大であり、しかも被害額が大きくなるという問題があった。そして盗難も非常に巧みになり、物理的な防止策では不足である。
【０００６】
本発明は、上記問題点に鑑みなされたものであり、電動機械器具の駆動電源をＩＤタグによって管理制限することで、使用可能者を限定するとともに、作動時間を制限するようにして、盗まれてもＩＤタグがなければ電動機械器具が作動できないように、二重に盗難を抑止可能とするものです。
【課題を解決するための手段】
【０００７】
本発明の請求項１は、電動機械器具を駆動する駆動部と、この駆動部に電源を供給するための電源供給ラインとを具備してなり、前記駆動部の前段の電源供給ライン上に、外部から入力される解除用ＩＤ情報と内部に記憶されたＩＤ情報とが一致するか否かによって、前記駆動部に対する電源供給のオンオフを制御する、オンオフ制御モジュールを設けてなることを特徴とする盗難防止機能付電動機械器具である。
【０００８】
本発明の請求項２は、請求項１に加えて、前記オンオフ制御モジュールは、ＩＤ情報その他の情報を登録させておくＩＣチップを備えたＲＦＩＤ（Radio Frequency ID）タグと、解除用のＩＤ情報を無線によって受信するための無線モジュールと、前記ＲＦＩＤタグに登録されたＩＤ情報と前記無線モジュールで受信した解除用のＩＤ情報との一致判断その他の制御を行うための制御部と、前記制御部におけるＩＤ情報の一致判断に基づいて前記駆動部に対する電源供給のオンオフを切り替える切替スイッチとを、具備してなることを特徴とする盗難防止機能付電動機械器具である。
【０００９】
本発明の請求項３は、請求項２に加えて、前記オンオフ制御モジュールは、前記ＲＦＩＤタグに最大使用時間の情報を登録可能とし、前記制御部において使用時間が最大使用時間以内か否かを判断して、最大使用時間に達した場合には前記切替スイッチをオフとすることを、特徴とする盗難防止機能付電動機械器具である。
【００１０】
本発明の請求項４は、前記請求項２または３に記載の電動機械器具と、前記電動機械器具に対する解除用のＩＤ情報を登録したＲＦＩＤタグと、このＲＦＩＤタグの解除用のＩＤ情報を無線によって送信する機能を有した解除用リモコンと、前記電動機械器具におけるＲＦＩＤタグおよび前記解除用リモコンにおけるＲＦＩＤタグの登録内容を読み取りおよび書き込み可能な登録用ＲＦＩＤリーダライターとからなることを、特徴とする盗難防止機能付電動機械器具である。
【発明の効果】
【００１１】
請求項１に記載の発明によれば、電動機械器具の駆動部の前段の電源供給ライン上に、外部から入力される解除用ＩＤ情報と内部に記憶されたＩＤ情報とが一致するか否かによって、前記駆動部に対する電源供給のオンオフを制御するオンオフ制御モジュールを設けるようにしたので、ＩＤによって使用者を管理制限することができ、また、ＩＤの一致が無ければ使用できないため、機器を現場より持ち出したとしても該機器を作動できないことがあらかじめ判明しているので、盗難被害を予防することが可能となる。
【００１２】
請求項２に記載の発明によれば、オンオフ制御モジュールは、ＩＤ情報その他の情報を登録させておくＩＣチップを備えたＲＦＩＤタグと、解除用のＩＤ情報を無線によって受信するための無線モジュールと、前記ＲＦＩＤタグに登録されたＩＤ情報と前記無線モジュールで受信した解除用のＩＤ情報との一致判断その他の制御を行うための制御部と、前記制御部におけるＩＤ情報の一致判断に基づいて前記駆動部に対する電源供給のオンオフを切り替える切替スイッチとを具備して構成したので、ＲＦＩＤタグを利用したＩＤ情報の登録が可能となり、ＩＤによって使用者を管理制限することができ、また、ＩＤの一致が無ければ使用できないため盗難被害を予防することが可能となる。
【００１３】
請求項３に記載の発明によれば、オンオフ制御モジュールは、前記ＲＦＩＤタグに最大使用時間の情報を登録可能とし、前記制御部において使用時間が最大使用時間以内か否かを判断して最大使用時間に達した場合に、前記切替スイッチをオフとするようにしたので、最大使用時間によって使用時間を管理することが可能となる。したがって、使用設定時間の過ぎた本発明電動機械器具を所有していても使用できないため盗難被害にあわなくなる。
【００１４】
請求項４に記載の発明によれば、請求項２または３に記載の電動機械器具と、前記電動機械器具に対する解除用のＩＤ情報を登録したＲＦＩＤタグと、このＲＦＩＤタグの解除用のＩＤ情報を無線によって送信する機能を有した解除用リモコンと、前記電動機械器具におけるＲＦＩＤタグおよび前記解除用リモコンにおけるＲＦＩＤタグの登録内容を読み取りおよび書き込み可能な登録用ＲＦＩＤリーダライターとによって電動機械器具を構成したので、解除用リモコンのＲＦＩＤタグと電動機械器具のＲＦＩＤタグに対して、登録用ＲＦＩＤリーダライターで書き込み行って新たなＩＤ情報を登録することが可能となるので、電動機械器具を持ち込む現場ごとにＩＤを変更するなどの各現場に対応する管理が可能となる。
【図面の簡単な説明】
【００１５】
【図１】本発明による盗難防止機能付電動機械器具の構成を表したブロック図である。
【発明を実施するための形態】
【００１６】
本発明による電動機械器具は、機器を駆動する駆動回路とからなる駆動部に電源を供給するための電源供給ラインとを具備してなる電動機械器具であって、前記駆動部の前段の電源供給ライン上に、外部から入力される解除用ＩＤ情報と内部に記憶されたＩＤ情報とが一致するか否かによって前記駆動部に対する電源供給のオンオフを制御するオンオフ制御モジュールを設け、前記オンオフ制御モジュールは、ＩＤ情報その他の情報を登録させておくＩＣチップを備えたＲＦＩＤタグと、解除用のＩＤ情報を無線によって受信するための無線モジュールと、前記ＲＦＩＤタグに登録されたＩＤ情報と前記無線モジュールで受信した解除用のＩＤ情報との一致判断その他の制御を行うための制御部と、前記制御部におけるＩＤ情報の一致判断に基づいて前記駆動部に対する電源供給のオンオフを切り替える切替スイッチとを具備してなる電動機械器具を備えてなることを特徴とするものである。
以下、実施例に沿って説明する。
【実施例１】
【００１７】
本発明の実施の形態について図面に基づいて説明を行う。
図１に示すのは、本発明による電動機械器具の構成を表したブロック図である。この図１において、装置は、電動機械器具１１、解除用リモコン１２、および登録用ＲＦＩＤリーダライター１３によって構成されている。
電動機械器具としては、電動カッター、電気ハンマー、電気ドリル、電動グラインダー、電気マルノコ、電気チェンソー、電気カンナ、電気カッター、ディスクグラインダ、中ぐり盤、フライス盤、ボール盤、ラップ盤等の電動工作機械器具、および電気溶接機、ブロア、収じん機、ポンプ、送風機、発電機、洗浄機、掃除機、投光器が挙げられる。
【００１８】
前記電動機械器具１１は、この機器１５を駆動するための駆動回路１６を具備してなる駆動部１４と、ＡＣ電源入力部２２と、前記駆動部１４とＡＣ電源入力部２２との間に設けられ、電動機械器具１１のオンオフを制御するオンオフ制御モジュール１７とで構成されている。このうち、前記オンオフ制御モジュール１７は、前記駆動回路１６と前記ＡＣ電源入力部２２の間の電源供給ライン上に設けられた切替スイッチ１８と、この切替スイッチ１８の切替を制御する制御部１９と、グループＩＤその他の情報を記憶させておくためのＲＦＩＤタグ２０と、前記解除用リモコン１２からの無線信号を受信するための無線モジュール２１とで構成されている。
【００１９】
前記解除用リモコン１２は、無線信号を送信するためのトリガーであるスイッチ２３と、電池等の電源供給用のバッテリ２４と、グループＩＤその他の情報を記憶させておくためのＲＦＩＤタグ２５と、前記ＲＦＩＤタグ２５に記憶されたグループＩＤその他の情報を前記電動機械器具１１に送信するための無線モジュール２６とで構成されている。なお、図１には、解除用リモコン１２を一つだけ記載しているが、これは一例であり、一台の電動機械器具１１に対して複数個の解除用リモコン１２を設けることも当然可能である。
【００２０】
前記登録用ＲＦＩＤリーダライター１３は、前記電動機械器具１１におけるＲＦＩＤタグ２０および前記解除用リモコン１２におけるＲＦＩＤタグ２５から情報を読み取るリーダ機能と、これらのＲＦＩＤタグ２０、２５に情報を書き込んで登録するライター機能とを有している。登録用ＲＦＩＤリーダライター１３は、無線信号を利用することでＲＦＩＤタグ２０、２５に対して非接触で読み取りおよび書き込みを行うことができる。
【００２１】
次に、このような構成の本発明による電動機械器具１０の使用方法について説明を行う。
先ず、前記登録用ＲＦＩＤリーダライター１３を用いて、前記電動機械器具１１におけるＲＦＩＤタグ２０と前記解除用リモコン１２におけるＲＦＩＤタグ２５に対して、（１）共通するグループＩＤ、および（２）最大使用時間を登録する。例えば、建設工事の作業場に入る前に出入りする作業者の監督・責任者に共通するグループＩＤを登録した解除用リモコン１２を渡す使用方法が考えられる。さらに、最大使用時間を設定登録しておくことで当該電動機械器具の使用可能な時間を制限し、その時間を超える使用を不可とする登録方法が考えられる。
【００２２】
使用に際しては、電動機械器具１１のＡＣ電源入力部２２を電源に接続する。この状態においては、オンオフ制御モジュール１７の切替スイッチ１８がオフになっているため、電動機械器具の駆動部１４に電源は供給されない。
【００２３】
次に、前記解除用リモコン１２を、電動機械器具１１に近づけた状態でスイッチ２３を押すと、バッテリ２４からの電力を利用してＲＦＩＤタグ２５に登録された（１）グループＩＤ、および（２）最大使用時間を、無線モジュール２６を介して電動機械器具１１側に送信する。電動機械器具１１では、解除用リモコン１２から送信された情報を、オンオフ制御モジュール１７の無線モジュール２１で受信する。
【００２４】
オンオフ制御モジュール１７では、無線モジュール２１で受信した解除用リモコン１２のグループＩＤが、オンオフ制御モジュール１７内に設けられたＲＦＩＤタグ２１に登録されたグループＩＤと一致するか否かを制御部１９において判断する。また、制御部１９において実使用時間を管理しており、その実使用時間が最大使用時間に達しているか否かを判断する。グループＩＤが一致し、かつ、実使用時間が最大使用時間に達していない場合に、切替スイッチ１８をオンにして駆動部１４に電源を供給する。電源の供給された駆動部１４では、駆動回路１６によってＬＥＤ１５を駆動することで電動機械器具１１が作動する。
【００２５】
前記実施例においては、ＲＦＩＤタグ２０およびＲＦＩＤタグ２５に最大使用時間を設定登録して管理するものとして説明をしたが、時間の管理ではなく、期間の管理を行うようにしてもよい。例えば、現場の工期が定まっている場合に、ＲＦＩＤタグ２０およびＲＦＩＤタグ２５を使用することができる期間を登録し、期間を経過した場合には使用不可とするような管理方法も考えられる。
【００２６】
前記実施例においては、解除用リモコン１２に電池等のバッテリ２４を設けるアクティブ方式のＲＦＩＤタグとして説明を行ったが、本発明はこれに限定されるものではなく、解除用リモコン１２をパッシブ方式のＲＦＩＤタグとして構成してもよい。この場合、電動機械器具１１側においてパッシブ方式のＲＦＩＤタグを読み取るための構成を設ければ、前記実施例で説明したものと同様の効果が得られる。
【符号の説明】
【００２７】
１１…電動機械器具、１２…解除用リモコン、１３…登録用ＲＦＩＤリーダライター、１４…駆動部、１５…機器１６…駆動回路、１７…オンオフ制御モジュール、１８…切替スイッチ、１９…制御部、２０…ＲＦＩＤタグ、２１…無線モジュール、２２…ＡＣ電源入力部、２３…スイッチ、２４…バッテリ、２５…ＲＦＩＤタグ、２６…無線モジュール。
【図１】
2015156200.tif 000003